(57)【特許請求の範囲】
【請求項１】
ＬＥＤプリンターヘッド用のＬＥＤアレイに所定の発光動作をさせる治具と、発光したＬＥＤの光量を受光し、受光した光量に比例した電気出力を発生させるセンサー部と、からなるＬＥＤアレイ光量測定装置において、測定対象の前記ＬＥＤアレイは、画像を形成するための発光スペクトルであるところの主発光帯の他に、主発光スペクトルのピーク波長よりも５０ｎｍ以上離れたところに、別の発光スペクトル帯である副発光帯とを有し、
かつ前記副発光帯のピーク光量は、前記主発光帯のピーク光量の３％以上を有し、その一方で、前記センサー部の分光感度は、前記主発光帯および前記副発光帯に対して、ほぼフラットな特性を有している時に前記ＬＥＤアレイから前記センサー部までの間に、前記主発光帯の光量を高効率に導き、前記副発光帯の光量をカットする光学素子を挿入したことを特徴とするＬＥＤアレイ光量測定方法。
【請求項２】
請求項１に記載のＬＥＤアレイ光量測定方法を適用されるＬＥＤプリンターヘッドにおいて、前記ＬＥＤアレイと、前記ＬＥＤアレイの照射光を集光する結像レンズとを備え、前記ＬＥＤアレイは画像を形成するための発光スペクトルの前記主発光帯と前記発光スペクトルの前記主発光帯のピーク波長よりも５０ｎｍ以上離れたところに前記副発光帯を有し、前記ＬＥＤアレイ光量測定方法によりランク分けあるいは光量補正をなされたことを特徴とするＬＥＤプリンターヘッド。
【請求項３】
請求項２に記載のＬＥＤプリンターヘッドを用いたことを特徴とするＬＥＤプリンター。
【請求項４】
ＬＥＤプリンターヘッド用のＬＥＤアレイに所定の発光動作をさせる治具と、発光した前記ＬＥＤアレイの光量を受光し、受光した光量に比例した電気出力を発生させる二つのセンサー部と、からなるＬＥＤアレイ光量測定装置において、
測定対象の前記ＬＥＤアレイは、画像を形成するための発光スペクトルであるところの主発光帯の他に、前記主発光帯のスペクトルのピーク波長よりも５０ｎｍ以上離れたところに、別の発光スペクトル帯である副発光帯とを有し、
かつ前記副発光帯のピーク光量は、前記主発光帯のピーク光量の３％以上を有し、その一方で、前記センサー部の分光感度は、前記主発光帯および前記副発光帯に対して、ほぼフラットな特性を有している時に前記ＬＥＤアレイから、二つの前記センサー部までの間に、前記主発光帯の光量を反射（透過）し、前記副発光帯の光量を透過（反射）する光学素子を挿入し２個の前記センサー部のうち一方で前記主発光帯の光量を、もう片方で前記副発光帯の光量を測定し、前記主発光帯の光量と前記副発光帯の光量に対して所定の演算処理を施し、一つのデータにまとめることを特徴とするＬＥＤアレイ光量測定方法。
【請求項５】
請求項４に記載のＬＥＤアレイ光量測定方法を適用されるＬＥＤプリンターヘッドにおいて、前記ＬＥＤアレイと、前記ＬＥＤアレイの照射光を集光する結像レンズとを備え、前記ＬＥＤアレイは画像を形成するための発光スペクトルの前記主発光帯と前記発光スペクトルの前記主発光帯のピーク波長よりも５０ｎｍ以上離れたところに前記副発光帯を有し、前記ＬＥＤアレイ光量測定方法によりランク分けあるいは光量補正をなされたことを特徴とするＬＥＤプリンターヘッド。
【請求項６】
請求項４に記載のＬＥＤプリンターヘッドを用いたことを特徴とするＬＥＤプリンター。
【請求項７】
ＬＥＤプリンターヘッド用のＬＥＤアレイに所定の発光動作をさせる治具と、発光した前記ＬＥＤアレイの光量を受光し、受光した光量に比例した電気出力を発生させるセンサー部と、からなるＬＥＤアレイ光量測定装置において、
測定対象の前記ＬＥＤアレイは、画像を形成するための発光スペクトルであるところの主発光帯の他に、前記主発光帯のスペクトルのピーク波長よりも５０ｎｍ以上離れたところに、別の発光スペクトル帯である副発光帯とを有し、
かつ前記副発光帯のピーク光量は、前記主発光帯のピーク光量の３％以上を有し、その一方で、前記センサー部の分光感度は、前記主発光帯および前記副発光帯に対して、ほぼフラットな特性を有している時に前記ＬＥＤアレイから、前記センサー部までの間に、前記副発光帯もしくは前記主発光帯の光量のいずれか片方をカットする光学素子を出し入れ可能なように設け、前記センサー部の光学素子の有無の二状態から得られる二つの出力信号値に対し、所定の演算処理を施すことを特徴とするＬＥＤアレイ光量測定方法。
【請求項８】
請求項７に記載のＬＥＤアレイ光量測定方法を適用されるＬＥＤプリンターヘッドにおいて、前記ＬＥＤアレイと、前記ＬＥＤアレイの照射光を集光する結像レンズとを備え、前記ＬＥＤアレイは画像を形成するための発光スペクトルの前記主発光帯と前記発光スペクトルの前記主発光帯のピーク波長よりも５０ｎｍ以上離れたところに前記副発光帯を有し、前記ＬＥＤアレイ光量測定方法によりランク分けあるいは光量補正をなされたことを特徴とするＬＥＤプリンターヘッド。
【請求項９】
請求項８に記載のＬＥＤプリンターヘッドを用いたことを特徴とするＬＥＤプリンター。
【請求項１０】
請求項７に記載のＬＥＤアレイ光量測定方法において、前記所定の演算処理とは、被検物の前記ＬＥＤアレイが使用されるプリンターに対して、前記主発光帯及び前記副発光帯が影響を及ぼす比率に基づいて合成することを特徴とする請求項７記載のＬＥＤアレイ光量測定方法。
【請求項１１】
請求項１０に記載のＬＥＤアレイ光量測定方法を適用されるＬＥＤプリンターヘッドにおいて、
前記ＬＥＤアレイと、前記ＬＥＤアレイの照射光を集光する結像レンズとを備え、前記ＬＥＤアレイは画像を形成するための発光スペクトルの前記主発光帯と前記発光スペクトルの前記主発光帯のピーク波長よりも５０ｎｍ以上離れたところに前記副発光帯を有し、前記ＬＥＤアレイ光量測定方法によりランク分けあるいは光量補正をなされたことを特徴とするＬＥＤプリンターヘッド。
【請求項１２】
請求項１１に記載のＬＥＤプリンターヘッドを用いたことを特徴とするＬＥＤプリンター。
【請求項１３】
請求項１又は、４、７に記載のＬＥＤアレイ光量測定方法において、前記ＬＥＤアレイとは、ＡｌＧａＡｓのＬＥＤをアレイ状に形成したものであり、前記主発光帯は６００〜８００ｎｍにピークを有し、前記副発光帯は８５０〜９００ｎｍにピークを有し、ほぼフラットな特性を有する前記センサー部とは、ＰＩＮフォトダイオードであることを特徴とするＬＥＤアレイ光量測定方法。
【請求項１４】
請求項１３に記載のＬＥＤアレイ光量測定方法を適用されるＬＥＤプリンターヘッドにおいて、前記ＬＥＤアレイと、前記ＬＥＤアレイの照射光を集光する結像レンズとを備え、前記ＬＥＤアレイは画像を形成するための発光スペクトルの前記主発光帯と前記発光スペクトルの前記主発光帯のピーク波長よりも５０ｎｍ以上離れたところに前記副発光帯を有し、前記ＬＥＤアレイ光量測定方法によりランク分けあるいは光量補正をなされたことを特徴とするＬＥＤプリンターヘッド。
【請求項１５】
請求項１４に記載のＬＥＤプリンターヘッドを用いたことを特徴とするＬＥＤプリンター。
【請求項１６】
請求項１又は、４、７記載のＬＥＤアレイ光量測定方法において、前記光学素子とは、誘電体薄膜を積層して形成されたダイクロイックフィルターもしくはミラーであり、前記ダイクロイックフィルターもしくはミラーの半値波長は前記主発光帯と前記副発光帯との中間に設定されたことを特徴とするＬＥＤアレイ光量測定方法。
【請求項１７】
請求項１６に記載のＬＥＤアレイ光量測定方法を適用されるＬＥＤプリンターヘッドにおいて、前記ＬＥＤアレイと、前記ＬＥＤアレイの照射光を集光する結像レンズとを備え、前記ＬＥＤアレイは画像を形成するための発光スペクトルの前記主発光帯と前記発光スペクトルの前記主発光帯のピーク波長よりも５０ｎｍ以上離れたところに前記副発光帯を有し、前記ＬＥＤアレイ光量測定方法によりランク分けあるいは光量補正をなされたことを特徴とするＬＥＤプリンターヘッド。
【請求項１８】
請求項１７に記載のＬＥＤプリンターヘッドを用いたことを特徴とするＬＥＤプリンター。
【請求項１９】
請求項１記載のＬＥＤアレイ光量測定方法において、前記光学素子とは、前記副発光帯に前記主発光帯以上の吸収特性を有する吸収型フィルターであり、前記主発光帯の透過率と前記副発光帯の透過率の比率は、使用するプリンターへの影響の比率にほぼ等しいことを特徴とするＬＥＤアレイ光量測定方法。
【請求項２０】
請求項１９に記載のＬＥＤアレイ光量測定方法を適用されるＬＥＤプリンターヘッドにおいて、前記ＬＥＤアレイと、前記ＬＥＤアレイの照射光を集光する結像レンズとを備え、前記ＬＥＤアレイは画像を形成するための発光スペクトルの前記主発光帯と前記発光スペクトルの前記主発光帯のピーク波長よりも５０ｎｍ以上離れたところに前記副発光帯を有し、前記ＬＥＤアレイ光量測定方法によりランク分けあるいは光量補正をなされたことを特徴とするＬＥＤプリンターヘッド。
【請求項２１】
請求項２０に記載のＬＥＤプリンターヘッドを用いたことを特徴とするＬＥＤプリンター。
【発明の詳細な説明】
【０００１】
【発明の属する技術分野】
本発明は、電子写真技術と組み合わせて画像形成を行うのに好適なＬＥＤプリンターヘッドもしくはプリンターヘッドを製造する際に使用されるＬＥＤアレイ、特にそのなかでも、高効率な発光特性を有するＡｌＧａＡｓ系のＬＥＤアレイの光量測定装置のＬＥＤアレイ光量測定方法と、それを適用されるＬＥＤプリンターヘッド及びＬＥＤプリンターに関するものである。
【０００２】
【従来の技術】
近年、パソコンの普及によるオフィス原稿のカラー化が急速に進み、それに伴い高速で処理できるカラープリンター用の印字ヘッドとしてＬＥＤプリンターが、注目を集めている。ところが従来、ＬＥＤプリンターは、文字の品位が中心で写真や中間調画像などにはあまり重点が置かれておらず、光量の補正も、チップ間のばらつきをチップ抵抗で補正している程度であった。
【０００３】
それゆえ、これからの時代、ピクトリアルなカラー原稿を出力しようとすると、精密に光量を制御する一方で、画像に関わる光量そのもののばらつきを精密に測定する技術が必要になってきている。
【０００４】
一方、高速なプリンターを開発して行く上で、高効率な発光が可能なＬＥＤとしてはＡｌＧａＡｓ系の材質などが一般的に知られている。
【０００５】
このＡｌＧａＡｓ系のＬＥＤは、図５の実線で示したように、主たる発光帯Ａの他に副発光帯Ｂを有するという現象が存在する。主発光帯Ａの波長は７８０ｎｍ程度、副波長帯Ｂの波長は８７０ｎｍ程度である。
【０００６】
また、光量を測定する際に使用されるセンサーとしては、図５の一点鎖線Ｃで示したような分光感度特性を有するＰＩＮフォトダイオードを使用することが、広く行われている。
【０００７】
図６は、従来のＬＥＤアレイ光量測定装置の代表的な構成例を示している。
【０００８】
これまでにも、本発明者が、提案した出願の中にも、あるいは他社出願の特開平１０−１８５６８４号公報などでも、多くのＬＥＤ光量測定装置が、普通にとっている代表的な測定装置の構成である。
【０００９】
図６において、まず、被検物であるところのＬＥＤアレイ２に対して、発光信号生成器のドライバー１から測定すべき光量を発光させるような発光信号を入力し、所定のＬＥＤを発光させる。発光した光は結像レンズ３を通して、図５の一点鎖線Ｃの分光感度を有するＰＩＮフォトダイオード６に届き、そのセンサー部４で光量に比例した電気出力信号を得る。この電気出力信号のアナログ信号をＡＤ変換器５を通してデジタル信号に変換し、その後の処理系７によって、演算処理して、所定のＬＥＤの発光量が正常か否かを測定する。
【００１０】
【発明が解決しようとする課題】
ところが、先述の副発光帯Ｂの光量は、ウエハのプロセス毎に微妙なばらつきが生じ、その平均発光量が一定でないばかりか、チップ毎、ビット毎にもばらつくということが近年の検討で明らかになってきた。特に、ウエハに形成した発光素子の複数個１チップとし、ＬＥＤチップを複数個縦列に並べて配置したのがＬＥＤアレイとして用いられるが、ウエハ毎のバラツキも発生することが明らかとなっている。
【００１１】
その一方で、実際の画像に対する影響は感光への寄与が主発光帯とは異なるため、図５の分光特性Ｃのセンサーを使用して光量を測定し、その結果に基づいてチップの平均光量のランク分けや各ビット光量値補正を行っても、実画像のレベルとはうまく対応させられないという不都合が生じていた。
【００１２】
そこで、本発明は、ＬＥＤチップばかりでなくＬＥＤアレイの発光量を測定する光量測定装置のＬＥＤアレイ光量測定方法を提供し、当該測定方法で測定した結果に基づいて形成配置したＬＥＤプリンターヘッド及びＬＥＤプリンターを提供することを課題とする。
【００１３】
【課題を解決するための手段】
上記問題点は、画像に与える影響の異なる二つ発光帯の光量を、一律に取り扱っていたために発生していたのであった。
【００１４】
本発明は、上記問題点を解決するために、主発光帯と副発光帯を分離する光学素子、例えば図１に示したような、分光特性Ｄを有するような光学素子を挿入し、この主発光帯Ａと副発光帯Ｂとを分離し、別々に測定評価して、プリンターに与える影響度合いに応じて演算処理し、光量データとして取り扱うことにより、正確な光量補正や、チップのランク分けを可能にしている。
【００１５】
本発明は、ＬＥＤプリンターヘッド用のＬＥＤアレイに所定の発光動作をさせる治具と、発光したＬＥＤの光量を受光し、受光した光量に比例した電気出力を発生させるセンサー部と、からなるＬＥＤアレイ光量測定装置のＬＥＤアレイ光量測定方法及びＬＥＤアレイ光量測定方法によりランク分けあるいは光量補正をしたＬＥＤプリンターヘッド及びＬＥＤプリンターヘッドを用いたＬＥＤプリンターにおいて、測定対象の前記ＬＥＤアレイは、画像を形成するための発光スペクトルであるところの主発光帯の他に、主発光スペクトルのピーク波長よりも５０ｎｍ以上離れたところに、別の発光スペクトル帯である副発光帯とを有し、かつ前記副発光帯のピーク光量は、前記主発光帯のピーク光量の３％以上を有し、その一方で、前記センサー部の分光感度は、前記主発光帯および前記副発光帯に対して、ほぼフラットな特性を有している時に前記ＬＥＤアレイから前記センサー部までの間に、前記主発光帯の光量を高効率に導き、前記副発光帯の光量をカットする光学素子を挿入したことを特徴とする。
【００１６】
また、本発明は、ＬＥＤプリンターヘッド用のＬＥＤアレイに所定の発光動作をさせる治具と、発光した前記ＬＥＤアレイの光量を受光し、受光した光量に比例した電気出力を発生させる二つのセンサー部と、からなるＬＥＤアレイ光量測定装置のＬＥＤアレイ光量測定方法及びＬＥＤアレイ光量測定方法によりランク分けあるいは光量補正をしたＬＥＤプリンターヘッド及びＬＥＤプリンターヘッドを用いたＬＥＤプリンターにおいて、測定対象の前記ＬＥＤアレイは、画像を形成するための発光スペクトルであるところの主発光帯の他に、前記主発光帯のスペクトルのピーク波長よりも５０ｎｍ以上離れたところに、別の発光スペクトル帯である副発光帯とを有し、かつ前記副発光帯のピーク光量は、前記主発光帯のピーク光量の３％以上を有し、その一方で、前記センサー部の分光感度は、前記主発光帯および前記副発光帯に対して、ほぼフラットな特性を有している時に前記ＬＥＤアレイから、二つの前記センサー部までの間に、前記主発光帯の光量を反射（透過）し、前記副発光帯の光量を透過（反射）する光学素子を挿入し２個の前記センサー部のうち一方で前記主発光帯の光量を、もう片方で前記副発光帯の光量を測定し、前記主発光帯の光量と前記副発光帯の光量に対して所定の演算処理を施し、一つのデータにまとめることを特徴とする。
【００１７】
また、本発明は、ＬＥＤプリンターヘッド用のＬＥＤアレイに所定の発光動作をさせる治具と、発光した前記ＬＥＤアレイの光量を受光し、受光した光量に比例した電気出力を発生させるセンサー部と、からなるＬＥＤアレイ光量測定装置のＬＥＤアレイ光量測定方法及びＬＥＤアレイ光量測定方法によりランク分けあるいは光量補正をしたＬＥＤプリンターヘッド及びＬＥＤプリンターヘッドを用いたＬＥＤプリンターにおいて、測定対象の前記ＬＥＤアレイは、画像を形成するための発光スペクトルであるところの主発光帯の他に、前記主発光帯のスペクトルのピーク波長よりも５０ｎｍ以上離れたところに、別の発光スペクトル帯である副発光帯とを有し、かつ前記副発光帯のピーク光量は、前記主発光帯のピーク光量の３％以上を有し、その一方で、前記センサー部の分光感度は、前記主発光帯および前記副発光帯に対して、ほぼフラットな特性を有している時に前記ＬＥＤアレイから、前記センサー部までの間に、前記副発光帯もしくは前記主発光帯の光量のいずれか片方をカットする光学素子を出し入れ可能なように設け、前記センサー部の光学素子有無の二状態から得られる二つの出力信号値に対し、所定の演算処理を施すことを特徴とする。
【００１８】
【発明の実施の形態】
本発明による実施形態について、図面を参照しつつ詳細に説明する。
【００１９】
（第一の実施形態）
図２は、従来の実施系図６に、本発明の特徴であるところの光学素子６を備えたものである。光学素子６は図１の破線Ｄのような分光透過率を示し、主発光帯Ａの光量成分のみを透過し、副発光帯Ｂの光量をカットするという特性を持っている。
【００２０】
このような光学素子は、屈折率の高い誘電体の薄膜と低い誘電体薄膜を交互に積層させることによって、容易に得られる干渉フィルターであり、可視域において二色性を示すことからダイクロイックフィルターなどという名称で呼ばれているものと、同じ物である。
【００２１】
図２において、まず、被検物であるところのＬＥＤアレイ２に対して、発光信号生成器のドライバー１から測定すべき光量を発光させるような発光信号を入力し、所定のＬＥＤを発光させる。発光した光は結像レンズ３を通して、図１の点線Ｄで示す分光感度を有するＰＩＮフォトダイオードの光学素子６に届き、そのセンサー部４で光量に比例した電気出力信号を得る。この電気出力信号のアナログ信号をＡＤ変換器５を通してデジタル信号に変換し、その後の信号処理系７によって、ドライバー１との発光信号と共に演算処理して、所定のＬＥＤの発光量が正常か否かを測定し、順次ＬＥＤアレイの全ての発光素子の特性を測定してそのＬＥＤアレイの良否を測定する。
【００２２】
図２においては、結像系３にそのままロッドレンズアレイを使用して、ＬＥＤプリンターヘッドという形態で光量測定を行っている。従って、ＬＥＤプリンターヘッドは、図２に示すＬＥＤアレイ２と、結像レンズ３を用いて、光学素子６の位置に感光体を設けることで、画像信号にドライブされたドライバー１でＬＥＤアレイ２を駆動することにより、ＬＥＤプリンターヘッドの機能を発揮し得る。即ち、測定系と同一の形態でＬＥＤプリンターヘッドが構成される。また、ＬＥＤプリンターヘッドに加えて感光体を備え、感光体に露光された画像信号をトナーで現像し、そのトナーを被転写紙に転写・定着することによって、ＬＥＤプリンターが形成される。
【００２３】
なお、副発光帯Ｂが、使用するＬＥＤプリンターに影響を及ぼさない場合、例えば、本体側に副発光帯をカットするような素子を導入したような画像形成装置や、色収差の大きい結像素子で副発光帯Ｂの光をぼかしてしまうＬＥＤプリンター・ヘッドのような場合に、大変、有効である。
【００２４】
また、測定対象のＬＥＤアレイは、画像を形成するための発光スペクトルであるところの主発光帯の他に、図１に示すように、主発光スペクトルのピーク波長よりも５０ｎｍ以上離れたところに、別の発光スペクトル帯である副発光帯とを有し、かつ副発光帯Ｂのピーク光量は、主発光帯Ａのピーク光量の３％以上を有している。
【００２５】
また、センサー部４の分光感度は、主発光帯Ａおよび副発光帯Ｂに対して、ほぼフラットな特性を有している時にＬＥＤアレイ２からセンサー部４までの間に、主発光帯Ａの光量を高効率に導き、副発光帯Ｂの光量をカットする光学素子を挿入している。
【００２６】
また、副発光帯Ｂの影響を減じる措置を構じていない系、例えば色収差の小さい結像素子を採用したＬＥＤヘッドなどを被検物とした場合には、その影響の度合いを、影響の比率に合わせて、透過するような素子を光学素子６として採用するのがより望ましい。
【００２７】
ＬＥＤアレイ２対して、測定データから得られたチップ毎の平均光量のランクに応じて、チップ間で光量段差が発生しないように、チップに流す平均電流の値を変更する。更に詳しくは、光量の少ないチップは電流値を上げ、光量の多いチップは電流値を下げてやるような、チップ抵抗を選択して、受光素子６の光量レベルを揃える。また、チップ内における光量ムラ補正については、素子１点１点の発光時間の長短を制御して、露光量が一定になるようにしてやればよい。
【００２８】
すなわち、同じ電流値を与えても、発光効率の異なる発光点には、平均レベルの露光量となる、（単位時間当たりの発光量×発光時間）が一定となるように、発光時間の発光時間を制御することで、光量ムラを低減した高品位なＬＥＤプリンターを実現できる。
【００２９】
具体的には、主発光帯と副発光帯において、吸収率の異なる熱線吸収フィルターの厚さを最適化して、使用するのがよい。
【００３０】
（第二の実施形態）
本実施形態では、第１の実施形態でＬＥＤプリンター測定方法で測定したＬＥＤアレイに汎用性を持たせて、ＬＥＤプリンターヘッドの用い方について説明する。
【００３１】
内製ではなく、プリンターヘッドの形態で外販を行う場合には、ユーザーであるＬＥＤプリンターメーカーによって、使用する感光体に応じて主発光帯と副発光帯の感度差や、露光・現像条件などは各メーカーまちまちであるので、測定系に汎用性を持たせるために構成したのが、図３に示した測定系である。
【００３２】
これは、図３において、所定の発光信号をドライバー１によってＬＥＤアレイ２に供給し、ＬＥＤアレイ２によって駆動発光して、対物レンズ３によって、光量を導く途中で図１の破線Ｄの光反射率を有する光学素子６により、光束を、主発光帯Ａと副発光帯Ｂに分離し、各々を別々のセンサー４Ａと４Ｂとで受光してＡＤ変換器５Ａ，５Ｂで別々に出力信号に置き換え、演算処理系７によって用途に応じて、即ち感光体の感度特性に応じて、所定の比率で加算して、補正すべき光量データに変換するように演算処理を行う。主発光帯Ａと副発光帯Ｂとの所定の比率が予め分かっているのであれば、これはアナログ回路上で処理を行ってもよい。
【００３３】
具体的に画像に与える影響を、実験的に求めても計算的に求めても、どちらでもよいが、例えば、ＬＥＤアレイの発光スペクトラム中主発光帯：副発光帯＝８：２であり、対応する感光体の受光特性が全帯域巾で一定であれば、光量データは、
０．８×（センサー４Ａ出力）＋０．２×（センサー４Ｂ出力）
に比例した値を有するＬＥＤアレイを揃えて採用すればよい。
【００３４】
なお、図１の破線Ｄが、光学素子の主発光帯Ａの分光透過率データである場合を第１の実施形態で説明したが、上述と同様の処理が可能であり、ＬＥＤプリンターヘッドに用いるＬＥＤアレイをＬＥＤプリンターの感光体や感光体により転写される被転写紙やトナーの特性に対応した光学特性を揃えて取りそろえることにより、画像信号に応じた高画質の画像を得ることができる。
【００３５】
（第三の実施形態）
図４は、発光信号を生成する発光信号生成器のドライバー１からの駆動により被試験ＬＥＤアレイ２を発光し、発光に応じて、主発光帯を透過し副発光帯を遮断する図１に示す点線Ｄの特性を有する光学フィルターを有する結像レンズ３により集光され、光学センサ４を照射し、Ａ／Ｄ変換器５を介して信号処理回路７によって、信号処理される。メモリは信号処理に用いる記憶媒体で、結像レンズ３を透過する場合と、結像レンズ３の無い場合とのデータを格納して、信号処理する。
【００３６】
図４において、副発光帯をカットするフィルター３を出し入れし、フィルター３が有る時の出力ａと、無い時の出力ｂとを比較することで、演算処理によって適切な光量補正データを導き出すものである。第二実施形態と同じく、ＬＥＤプリンターへの影響度が主発光帯：副発光帯＝８：２であれば、光量データとしては、
０．８×出力ａ＋０．２×（出力ｂ−出力ａ）
に比例した値を採用することで、補正量算出の精度アップを図ることが可能となる。例えば、１発光素子がフィルター３が有る時の出力ａが１Ｖ，出力ｂが１．２Ｖであったとすると、数式に代入して、０．８×１＋０．２×（１．２−１）＝０．７６となり、他の発光素子がこの０．７６に相当する値に揃っていれば（しきい値を設けてこの数値範囲を決定しておく）、補正量算出の精度が揃っていると判断し、ユーザーの望むＬＥＤアレイであるとして供給することが可能となる。また、この特性に応じたＬＥＤアレイを用いたＬＥＤプリンターヘッド及びＬＥＤプリンターであれば、精度の良い高画質の画像を再生することができるといえる。
【００３７】
【発明の効果】
以上説明したように、ＬＥＤの主発光帯と副発光帯を分離する光学素子を用い、この主発光帯と副発光帯とを別々に分離測定評価して、プリンターに与える影響度合いに応じて演算処理し、光量データとして取り扱うことにより、正確な光量補正や、チップのランク分けを可能にし、ピクトリアルな画像にも十分対応可能なＬＥＤプリンターヘッド、並びにＬＥＤプリンターを実現可能にすることができるようになった。
【図面の簡単な説明】
【図１】本発明の原理としてＬＥＤアレイの特性とフィルター特性との説明図である。
【図２】本発明の第一実施形態の測定方法の構成図である。
【図３】本発明の第二実施形態の測定方法の構成図である。
【図４】本発明の第三実施形態の測定方法の構成図である。
【図５】従来の問題点のＬＥＤアレイの発光素子の特性図である。
【図６】従来例のＬＥＤアレイ光量測定装置の構成図である。
【符号の説明】
１  発光ドライバー
２  ＬＥＤアレイ
３  結像手段
４  光量測定センサー
５  ＡＤ変換器
６  光学素子
７  演算処理系
【図１】
0003604980.tif 000002
【図２】
0003604980.tif 000003
【図３】
0003604980.tif 000004
【図４】
0003604980.tif 000005
【図５】
0003604980.tif 000006
【図６】
0003604980.tif 000007